(57)【要約】【課題】  共通の冷却対象空間を冷却するエジェクタを用いた蒸気圧縮式冷凍サイクル装置における良好なフロスト制御を得るとともに、２つの蒸発器による冷却性能の向上が図れる蒸気圧縮式冷凍サイクル装置を実現する。【解決手段】  第１蒸発器１５、第２蒸発器１８は、一連の構成として接続され、共通の冷却対象空間２１に向かって送風される空気流れを冷却するように構成されるとともに、第２蒸発器１８の出口冷媒圧力に基づいて、圧縮機１１の吐出容量、もしくは冷媒吐出能力のいずれかを変化させてフロスト制御する制御装置４０を有する。これにより、良好なフロスト制御を得ることができる。【選択図】        図１
2007057177.tif 000002
【特許請求の範囲】
【請求項１】
冷媒を吸入し圧縮する圧縮機（１１）と、
前記圧縮機（１１）から吐出された高圧冷媒の放熱を行う放熱器（１３）と、
前記放熱器（１３）下流側の冷媒を減圧膨張させるノズル部（１４ａ）、前記ノズル部（１４ａ）から噴射する高い速度の冷媒流により冷媒が内部に吸引される冷媒吸引口（１４ｂ）、前記高い速度の冷媒流と前記冷媒吸引口（１４ｂ）の吸引冷媒とを混合する混合部（１４ｃ）、および前記混合部（１４ｃ）で混合した冷媒流の速度エネルギーを圧力エネルギーに変換する昇圧部（１４ｄ）を有するエジェクタ（１４）と、
前記エジェクタ（１４）の下流側に接続される第１蒸発器（１５）と、
前記冷媒吸引口（１４ｂ）に接続される第２蒸発器（１８）とを備え、
前記第１蒸発器（１５）および前記第２蒸発器（１８）は、一連の構成として接続され、共通の冷却対象空間（２１）に向かって送風される空気流れを冷却するように構成されるとともに、
前記第２蒸発器（１８）の出口冷媒圧力に基づいて、前記圧縮機（１１）の吐出容量、もしくは冷媒吐出能力のいずれかを変化させてフロストを制御する制御手段（４０）を有することを特徴とする蒸気圧縮式冷凍サイクル装置。
【請求項２】
前記圧縮機（１１）は、吐出容量の変化により冷媒吐出能力を調整できる可変容量型圧縮機であり、
前記制御手段（４０）は、前記第２蒸発器（１８）の出口冷媒圧力が所定値以下のときに、前記圧縮機（１１）の吐出容量を低下させる制御を行うことを特徴とする請求項１に記載の蒸気圧縮式冷凍サイクル装置。
【請求項３】
前記圧縮機（１１）は、電磁クラッチ（１２）の断続により圧縮機作動の稼働率を変化させて冷媒吐出能力を調整する固定容量型圧縮機であり、
前記制御手段（４０）は、前記第２蒸発器（１８）の出口冷媒圧力が所定値以下のときに、前記圧縮機（１１）の冷媒吐出能力を低下させる制御を行うことを特徴とする請求項１に記載の蒸気圧縮式冷凍サイクル装置。
【請求項４】
前記第２蒸発器（１８）と前記冷媒吸引口（１４ｂ）との間には、前記第２蒸発器（１８）の出口冷媒圧力を検出する圧力検出手段（４１）が設けられていることを特徴とする請求項１ないし請求項３のいずれか一項に記載の蒸気圧縮式冷凍サイクル装置。
【請求項５】
前記圧力検出手段（４１）は、前記冷媒吸引口（１４ｂ）内を通過する冷媒圧力を検出できるように前記エジェクタ（１４）に一体に構成していることを特徴とする請求項４に記載の蒸気圧縮式冷凍サイクル装置。
【請求項６】
前記第１蒸発器（１５）の冷媒蒸発温度に比較して前記第２蒸発器（１８）の冷媒蒸発温度が低くなるようになっており、
前記空気流れの上流側に前記第１蒸発器（１５）が配置され、前記空気流れの下流側に前記第２蒸発器（１８）が配置されることを特徴とする請求項１ないし請求項５のいずれか一項に記載の蒸気圧縮式冷凍サイクル装置。
【請求項７】
前記エジェクタ（１４）の上流部から分岐され前記冷媒吸引口（１４ｂ）に至る冷媒分岐通路（１６）を有し、
前記冷媒分岐通路（１６）に絞り機構（１７）が設けられ、この絞り機構（１７）の下流側に前記第２蒸発器（１８）が設けられていることを特徴とする請求項１ないし請求項６のいずれか一項に記載の蒸気圧縮式冷凍サイクル装置。
【請求項８】
前記第１蒸発器（１５）の冷媒流れ下流側に冷媒の気液を分離する気液分離器（３０）が設けられ、
前記気液分離器（３０）の気相冷媒出口側は前記圧縮機（１１）の吸入側に接続され、
前記気液分離器（３０）の液相冷媒出口側は冷媒分岐通路（３１）により前記冷媒吸引口（１４ｂ）に接続され、
前記冷媒分岐通路（３１）に絞り機構（１７）が設けられ、この絞り機構（１７）の下流側に前記第２蒸発器（１８）が設けられていることを特徴とする特徴とする請求項１ないし請求項６のいずれか一項に記載の蒸気圧縮式冷凍サイクル装置。
【発明の詳細な説明】
【技術分野】
【０００１】
本発明は、冷媒減圧手段の機能および冷媒循環手段の機能を果たすエジェクタと、複数の蒸発器とを有するエジェクタを用いた蒸気圧縮式冷凍サイクル装置に関するものであり、例えば、自動車用、業務用、または家庭用の空調装置、あるいは車載の荷物を冷凍、冷蔵する車両用冷凍装置等に適用して有効である。
【背景技術】
【０００２】
従来、この種のエジェクタを用いた蒸気圧縮式冷凍サイクル装置は特許文献１等にて知られている。この特許文献１では、図９に示すように冷媒減圧手段および冷媒循環手段の機能を果たすエジェクタ１４の冷媒下流側と気液分離器３０との間に第１蒸発器１５を配置するともに、気液分離器３０の液冷媒出口側とエジェクタ１４の冷媒吸引口１４ｂとの間に第２蒸発器１８を配置した蒸気圧縮式冷凍サイクル装置が開示されている。
【０００３】
上記特許文献１の蒸気圧縮式冷凍サイクル装置によると、膨張時の冷媒の高速な流れにより生じる圧力低下を利用して、第２蒸発器１８から排出される気相冷媒を吸引するとともに、膨張時の冷媒の速度エネルギーをディフューザ部（昇圧部）１４ｄにて圧力エネルギーに変換して冷媒圧力を上昇させるので、圧縮機１２の駆動動力を低減できる。このため、サイクルの運転効率を向上することができる。
【０００４】
また、２つの蒸発器１５、１８により別々の空間、または２つの蒸発器１５、１８で同一の空間から吸熱（冷却）作用を発揮することができる。そして、２つの蒸発器１５、１８にて室内の冷房を行ってもよい旨の記載もある。
【特許文献１】特許第３３２２２６３号公報
【発明の開示】
【発明が解決しようとする課題】
【０００５】
しかしながら、上記特許文献１では、２つの蒸発器１５、１８にて室内の冷房を行う際における具体的な２つの蒸発器１５、１８の構成、およびエジェクタを用いた蒸気圧縮式冷凍サイクル装置におけるフロスト制御に関する構成が何ら開示されていない。
【０００６】
そこで、本発明は、上記点に鑑みたものであり、エジェクタ下流側蒸発器とエジェクタ吸引側蒸発器とを組み合わせて、共通の冷却対象空間を冷却する蒸気圧縮式冷凍サイクル装置における良好なフロスト制御を得ることを目的とする。
【０００７】
また、本発明は、他の目的として、２つの蒸発器による冷却性能の向上が図れる蒸気圧縮式冷凍サイクル装置を提供することにある。
【課題を解決するための手段】
【０００８】
上記目的を達成するために、請求項１ないし請求項８に記載の技術的手段を採用する。すなわち、請求項１に記載の発明では、冷媒を吸入し圧縮する圧縮機（１１）と、この圧縮機（１１）から吐出された高圧冷媒の放熱を行う放熱器（１３）と、この放熱器（１３）下流側の冷媒を減圧膨張させるノズル部（１４ａ）、このノズル部（１４ａ）から噴射する高い速度の冷媒流により冷媒が内部に吸引される冷媒吸引口（１４ｂ）、高い速度の冷媒流と冷媒吸引口（１４ｂ）の吸引冷媒とを混合する混合部（１４ｃ）、およびその混合部（１４ｃ）で混合した冷媒流の速度エネルギーを圧力エネルギーに変換する昇圧部（１４ｄ）を有するエジェクタ（１４）と、このエジェクタ（１４）の下流側に接続される第１蒸発器（１５）と、冷媒吸引口（１４ｂ）に接続される第２蒸発器（１８）とを備え、
第１蒸発器（１５）および第２蒸発器（１８）は、一連の構成として接続され、共通の冷却対象空間（２１）に向かって送風される空気流れを冷却するように構成されるとともに、第２蒸発器（１８）の出口冷媒圧力に基づいて、圧縮機（１１）の吐出容量、もしくは冷媒吐出能力のいずれかを変化させてフロスト制御する制御手段（４０）を有することを特徴としている。
【０００９】
この発明によれば、蒸発器を第１蒸発器（１５）と第２蒸発器（１８）との二つに分割したときは、第２蒸発器（１８）側のほうが第１蒸発器（１５）よりも低圧となるため冷媒吸引口（１４ｂ）側に吸引される冷媒圧力に基づいてフロスト制御することで、簡素なセンサを用いることで容易にフロストを防止することができる。
【００１０】
しかも、特に、低負荷状態のときには、第２蒸発器（１８）側がより低圧となるため冷媒吸引口（１４ｂ）側に吸引される冷媒圧力に基づくことでいち早く容易にフロストを防止することができる。
【００１１】
請求項２に記載の発明では、圧縮機（１１）は、吐出容量の変化により冷媒吐出能力を調整できる可変容量型圧縮機であり、制御手段（４０）は、第２蒸発器（１８）の出口冷媒圧力が所定値以下のときに、圧縮機（１１）の吐出容量を低下させる制御を行うことを特徴としている。
【００１２】
この発明によれば、第２蒸発器（１８）の出口冷媒圧力が所定値以下のときに、例えば、電動機の回転数を低下させることで圧縮機（１１）の吐出容量を低下できる。これにより、良好なフロスト制御を行うことができる。
【００１３】
請求項３に記載の発明では、圧縮機（１１）は、電磁クラッチ（１２）の断続により圧縮機作動の稼働率を変化させて冷媒吐出能力を調整する固定容量型圧縮機であり、制御手段（４０）は、第２蒸発器（１８）の出口冷媒圧力が所定値以下のときに、圧縮機（１１）の冷媒吐出能力を低下させる制御を行うことを特徴としている。
【００１４】
この発明によれば、上述した請求項１の圧縮機（１１）は可変容量型圧縮機であったが、これに限らず、電磁クラッチ（１２）の断続運転で作動される固定容量型圧縮機であっても、圧縮機作動の稼働率を変化させて冷媒吐出能力を低下させることが可能である。これにより、良好なフロスト制御を行うことができる。
【００１５】
請求項４に記載の発明では、第２蒸発器（１８）と冷媒吸引口（１４ｂ）との間には、第２蒸発器（１８）の出口冷媒圧力を検出する圧力検出手段（４１）が設けられていることを特徴としている。
【００１６】
この発明によれば、より具体的には、例えば、圧力センサなどの圧力検出手段（４１）を設けることで容易にかつ的確な第２蒸発器（１８）の出口冷媒圧力を検出することが容易である。また、簡素な構造で良いため製造コストの低減および搭載スペースの小型化が図れる。
【００１７】
請求項５に記載の発明では、圧力検出手段（４１）は、冷媒吸引口（１４ｂ）内を通過する冷媒圧力を検出できるようにエジェクタ（１４）に一体に構成していることを特徴としている。この発明によれば、圧力検出手段（４１）がエジェクタ（１４）に一体構成できることで製造コストの低減が図れる。
【００１８】
請求項６に記載の発明では、第１蒸発器（１５）の冷媒蒸発温度に比較して第２蒸発器（１８）の冷媒蒸発温度が低くなるようになっており、空気流れの上流側に第１蒸発器（１５）が配置され、空気流れの下流側に第２蒸発器（１８）が配置されることを特徴としている。
【００１９】
この発明によれば、冷媒蒸発温度が高い第１蒸発器（１５）が空気流れ上流側に位置し、冷媒蒸発温度が低い第２蒸発器（１８）が空気流れ下流側に位置しているので、被冷却空気の温度が空気流れ方向（Ａ）の上流側から下流側へ向かって次第に低下しても、第１、第２蒸発器（１５、１８）の双方で、冷媒蒸発温度と空気温度との温度差を確保できる。これにより、共通の冷却対象空間（２１）に対する冷却性能を２つの蒸発器（１５、１８）の組み合わせで効果的に発揮できる。
【００２０】
請求項７に記載の発明では、エジェクタ（１４）の上流部から分岐され冷媒吸引口（１４ｂ）に至る冷媒分岐通路（１６）を有し、この冷媒分岐通路（１６）に絞り機構（１７）が設けられ、この絞り機構（１７）の下流側に第２蒸発器（１８）が設けられていることを特徴としている。
【００２１】
この発明によれば、エジェクタ（１４）の上流部から分岐した冷媒を絞り機構（１７）で減圧して第２蒸発器（１８）に供給できるから、第１蒸発器（１５）の冷媒流れ下流側に気液分離器（３０）を設定する必要がない。また、第２蒸発器（１８）への冷媒流量を絞り機構（１７）で独立に調整できる。
【００２２】
請求項８に記載の発明では、第１蒸発器（１５）の冷媒流れ下流側に冷媒の気液を分離する気液分離器（３０）が設けられ、この気液分離器（３０）の気相冷媒出口側は圧縮機（１１）の吸入側に接続され、気液分離器（３０）の液相冷媒出口側は冷媒分岐通路（３１）により冷媒吸引口（１４ｂ）に接続され、冷媒分岐通路（３１）に絞り機構（１７）が設けられ、この絞り機構（１７）の下流側に第２蒸発器（１８）が設けられていることを特徴としている。
【００２３】
この発明によれば、第１蒸発器（１５）の冷媒流れ下流側に冷媒の気液を分離する気液分離器（３０）を設けたときは、気液分離器（３０）の液相冷媒出口側は冷媒分岐通路（３１）により冷媒吸引口（１４ｂ）に接続されている。従って、気液分離器（３０）を用いる場合であっても、冷媒吸引口（１４ｂ）側が低圧となる。
【００２４】
なお、上記各手段の括弧内の符号は、後述する実施形態の具体的手段との対応関係を示すものである。
【発明を実施するための最良の形態】
【００２５】
（第１実施形態）
以下、本発明の第１実施形態におけるエジェクタを用いた蒸気圧縮式冷凍サイクル装置を図１ないし図４に基づいて説明する。図１は本発明を車両用冷凍サイクル装置に適用した車両用エジェクタを用いた蒸気圧縮式冷凍サイクル装置のサイクル構成図である。図２は第１、第２蒸発器１５、１８の一体化構成を示す概略斜視図である。また、図３は第１、第２蒸発器１５、１８と、これらの冷媒通路および冷媒の流れを示す概略図である。さらに、図４は制御装置４０のフロスト制御手段の制御処理を示すフローチャートである。
【００２６】
本実施形態の蒸気圧縮式冷凍サイクル装置１０は、図１に示すように、圧縮機１１、放熱器１３、エジェクタ１４、第１、第２蒸発器１５、１８などから構成されている。冷媒を吸入圧縮する圧縮機１１は、電磁クラッチ１２、ベルト等を介して図示しない車両走行用エンジンにより回転駆動される。
【００２７】
この圧縮機１１としては、吐出容量の変化により冷媒吐出能力を調整できる可変容量型圧縮機、あるいは電磁クラッチ１２の断続により圧縮機作動の稼働率を変化させて冷媒吐出能力を調整する固定容量型圧縮機のいずれを使用してもよい。
【００２８】
また、圧縮機１１として電動圧縮機を使用すれば、電動モータの回転数調整により冷媒吐出能力を調整できる。なお、電磁クラッチ１２は後述する制御装置４０に電気的に接続され、この制御装置４０により制御される。
【００２９】
この圧縮機１１の冷媒吐出側には放熱器１３が配置されている。放熱器１３は圧縮機１２から吐出された高圧冷媒と図示しない冷却ファンにより送風される外気（車室外空気）との間で熱交換を行って高圧冷媒を冷却する。
【００３０】
ここで、蒸気圧縮式冷凍サイクル装置１０の冷媒として、通常のフロン系冷媒を用いる場合は、高圧圧力が臨界圧力を超えない亜臨界サイクルとなるので、放熱器１３は冷媒を凝縮する凝縮器として作用する。一方、冷媒として二酸化炭素（ＣＯ2）のように高圧圧力が臨界圧力を超える冷媒を用いる場合は蒸気圧縮式冷凍サイクル装置１０が超臨界サイクルとなるので、冷媒は超臨界状態のまま放熱するだけで、凝縮しない。
【００３１】
そして、放熱器１３よりもさらに冷媒流れ下流側部位には、エジェクタ１４が配置されている。このエジェクタ１４は冷媒を減圧する減圧手段であるとともに、高速で噴出する冷媒流の吸引作用（巻き込み作用）によって冷媒の循環を行う流体輸送を冷媒循環手段（運動量輸送式ポンプ）でもある（ＪＩＳ  Ｚ  ８１２６  番号２．１．２．３等参照）。
【００３２】
エジェクタ１４には、放熱器１３から流入する高圧冷媒の通路面積を小さく絞って、高圧冷媒を等エントロピ的に減圧膨張させるノズル部１４ａと、ノズル部１４ａの冷媒噴出口と同一空間に配置され、後述する第２蒸発器１８からの気相冷媒を吸引する冷媒吸引口１４ｂが備えられている。
【００３３】
さらに、ノズル部１４ａおよび冷媒吸引口１４ｂの冷媒流れ下流側部位には、ノズル部１４ａからの高速度の冷媒流と冷媒吸引口１４ｂの吸引冷媒とを混合する混合部１４ｃが設けられている。
【００３４】
そして、混合部１４ｃの冷媒流れ下流側に昇圧部をなすディフューザ部１４ｄが配置されている。このディフューザ部１４ｄは冷媒の通路面積を徐々に大きくする形状に形成されており、冷媒流れを減速して冷媒圧力を上昇させる作用、つまり、冷媒の速度エネルギーを圧力エネルギーに変換する作用を果たす。
【００３５】
エジェクタ１４のディフューザ部１４ｄの下流側に第１蒸発器１５が接続され、この第１蒸発器１５の冷媒流れ下流側は圧縮機１１の吸入側に接続される。
【００３６】
一方、エジェクタ１４の上流部（放熱器１３とエジェクタ１４との間の中間部位）から冷媒分岐通路１６が分岐され、この冷媒分岐通路１６の下流側はエジェクタ１４の冷媒吸引口１４ｂに接続される。図中に示す符号Ｚは冷媒分岐通路１６の分岐点を示す。
【００３７】
この冷媒分岐通路１６には絞り機構１７が配置され、この絞り機構１７よりも冷媒流れ下流側部位には第２蒸発器１８が配置されている。絞り機構１７は第２蒸発器１８への冷媒流量の調節作用をなす減圧手段であって、具体的にはオリフィスのような固定絞りで構成できる。また、電動アクチュエータにより弁開度（通路絞り開度）が調整可能になっている電気制御弁を絞り機構１７として用いてもよい。
【００３８】
ところで、本実施形態では、２つの蒸発器１５、１８を後述のごとく一体構造に組み付けて、２つの蒸発器１５、１８を１つのケース１９内に収納するようになっている。そして、ケース１９内に構成される空気通路に共通の電動送風機２０により空気（被冷却空気）を矢印Ａのごとく送風し、この送風空気を２つの蒸発器１５、１８で冷却するようになっている。
【００３９】
つまり、２つの蒸発器１５、１８で冷却された冷風を共通の冷却対象空間２１に送り込み、これにより、２つの蒸発器１５、１８にて共通の冷却対象空間２１を冷却するようになっている。ここで、２つの蒸発器１５、１８のうち、エジェクタ１４下流側の主流路に接続される第１蒸発器１５を空気流れＡの上流側に配置し、エジェクタ１４の冷媒吸引口１４ｂに接続される第２蒸発器１８を空気流れＡの下流側に配置している。
【００４０】
なお、本実施形態の蒸気圧縮式冷凍サイクル装置１０を車両空調用冷凍サイクル装置に適用する場合は車室内空間が冷却対象空間２１となる。また、本実施形態の蒸気圧縮式冷凍サイクル装置１０を冷凍車用冷凍サイクル装置に適用する場合は冷凍車の冷凍冷蔵庫内空間が冷却対象空間２１となる。さらに、本蒸気圧縮式冷凍サイクル装置１０を家庭用空調装置に適用する場合は室内空間が冷却対象空間２１となる。
【００４１】
そして、エジェクタ１４の冷媒吸引口１４ｂと第２蒸発器１８との間には、第２蒸発器１８の出口冷媒圧力を検出する圧力検出手段である圧力センサ４１が設けられている。圧力センサ４１は後述する制御手段である制御装置４０に電気的に接続され、検出された圧力情報を制御装置４０に出力する。
【００４２】
制御装置４０は、マイクロコンピュータを主体として構成され、内蔵のＲＯＭ（図示せず）には、予め設定された制御プログラムが設けられている。そして、圧力センサ４１を含め、図示しない各温度、各圧力センサからの温度、圧力情報、および図示しない操作パネルからの操作情報を入力するように電気的に接続し、これらの温度、圧力情報、操作情報に基づいて、電磁クラッチ１２を含む蒸気圧縮式冷凍サイクル装置１０内の電気部品を制御している。
【００４３】
なお、本実施形態では、圧力センサ４１により検出された圧力情報に基づいて電磁クラッチ１２を制御するフロスト制御（後述する）を行っている。
【００４４】
次に、２つの蒸発器１５、１８の一体化構造の具体例を図２に基づいて説明する。この図２の実施例では、２つの蒸発器１５、１８が完全に１つの蒸発器構造として一体化されるようになっている。そのため、第１蒸発器１５は１つの蒸発器構造のうち空気流れＡの上流側領域を構成し、そして、第２蒸発器１８は１つの蒸発器構造のうち空気流れＡの下流側領域を構成するようになっている。
【００４５】
第１蒸発器１５および第２蒸発器１８の基本的構成は同一であり、それぞれ熱交換コア部１５ａ、１８ａと、この熱交換コア部１５ａ、１８ａの上下両側に位置するタンク部１５ｂ、１５ｃ、１８ｂ、１８ｃとを備えている。
【００４６】
ここで、熱交換コア部１５ａ、１８ａは、それぞれ上下方向に延びる複数のチューブ２２とこの複数のチューブ２２相互間に接合されるフィン２３との積層構造からなる。なお、図２では、空気流れ上流側に位置する第１蒸発器１５の熱交換コア部１５ａにおけるチューブ２２とフィン２３のみ図示して、空気流れ下流側に位置する第２蒸発器１８の熱交換コア部１８ａにおけるチューブ２２とフィン２３を図示していないが、両熱交換コア部１５ａ、１８ａの構成は同一である。
【００４７】
チューブ２２は冷媒通路を構成するもので、断面形状が空気流れ方向Ａに沿って扁平な扁平チューブよりなる。フィン２３は薄板材を波状に曲げ成形したコルゲートフィンであり、チューブ２２の平坦な外面側に接合され空気側伝熱面積を拡大する。
【００４８】
チューブ２２とフィン２３は熱交換コア部１５ａ、１８ａの左右方向に交互に積層配置され、このチューブ、フィン積層方向（コア部左右方向）の両端部には熱交換コア部１５ａ、１８ａを補強するサイドプレート１５ｄ、１５ｅ、１８ｄ、１８ｅが配置されている。このサイドプレート１５ｄ、１５ｅ、１８ｄ、１８ｅは、コア部左右方向の最も外側に位置するコルゲートフィン２３および上下両側のタンク部１５ｂ、１５ｃ、１８ｂ、１８ｃに接合される。
【００４９】
第１蒸発器１５の上下両側のタンク部１５ｂ、１５ｃと、第２蒸発器１８の上下両側のタンク部１８ｂ、１８ｃは互いに独立した冷媒通路空間を構成する。第１蒸発器１５の上下両側のタンク部１５ｂ、１５ｃは熱交換コア部１５ａのチューブ２２の上下両端部が挿入され、接合されるチューブ嵌合穴部（図示せず）を有し、チューブ２２の上下両端部がタンク部１５ｂ、１５ｃの内部空間に連通するようになっている。
【００５０】
同様に、第２蒸発器１８の上下両側のタンク部１８ｂ、１８ｃは熱交換コア部１８ａのチューブ２２の上下両端部が挿入され、接合されるチューブ嵌合穴部（図示せず）を有し、チューブ２２の上下両端部がタンク部１５ｂ、１５ｃの内部空間に連通するようになっている。
【００５１】
これにより、上下両側のタンク部１５ｂ、１５ｃ、１８ｂ、１８ｃは、それぞれ対応する熱交換コア部１５ａ、１８ａの複数のチューブ２２へ冷媒流れを分配したり、複数のチューブ２２からの冷媒流れを集合する役割を果たす。
【００５２】
このタンク部１５ｂ、１５ｃ、１８ｂ、１８ｃによる冷媒流れの分配・集合機能を図２により具体的に説明すると、エジェクタ１４下流側の低圧冷媒が流入する入口部２４が第１蒸発器１５の下側タンク部１５ｃの左端部に配置され、この下側タンク部１５ｃの右端部に出口部２５が配置されている。そして、この下側タンク部１５ｃの内部空間の長手方向（コア部のチューブ・フィン積層方向）の中間部には仕切板２６が配置され、この仕切板２６により下側タンク部１５ｃの内部空間を図示左側領域と右側領域とに仕切っている。
【００５３】
これにより、入口部２４から下側タンク部１５ｃ内部の左側領域に流入した低圧冷媒は、熱交換コア部１５ａの左側領域のチューブ２２群を矢印ａのごとく上昇して上側タンク部１５ｂの内部空間に流入し、この内部空間を矢印ｂのごとく左側から右側へと流れる。
【００５４】
次に、上側タンク部１５ｂの内部空間の右側領域の冷媒が熱交換コア部１５ａの右側領域のチューブ２２群を矢印ｃのごとく下降して下側タンク部１５ｃ内部の右側領域に流入する。そして、下側タンク部１５ｃの右端部の出口部２５から冷媒が矢印ｄのごとく流出して圧縮機１１の吸入側へ向かう。
【００５５】
これに対し、第２蒸発器１８においては、その上側タンク部１８ｂの右端部に冷媒分岐通路１６の絞り機構１７を通過した低圧冷媒が流入する入口部２７が配置され、この上側タンク部１８ｂの左端部に出口部２８が配置されている。そして、この上側タンク部１８ｂの内部空間の長手方向（コア部のチューブ・フィン積層方向）の中間部には仕切板２９が配置され、この仕切板２９により上側タンク部１８ｂの内部空間を図示右側領域と左側領域とに仕切っている。
【００５６】
これにより、入口部２７から上側タンク部１８ｂ内部の右側領域に流入した低圧冷媒は、熱交換コア部１８ａの右側領域のチューブ２２群を矢印ｅのごとく下降して下側タンク部１８ｃの内部空間に流入し、この内部空間を矢印ｆのごとく右側から左側へと流れる。
【００５７】
次に、下側タンク部１８ｃの内部空間の左側領域の冷媒が熱交換コア部１８ａの左側領域のチューブ２２群を矢印ｇのごとく上昇して上側タンク部１８ｂ内部の左側領域に流入する。そして、上側タンク部１８ｂの左端部の出口部２５から冷媒が矢印ｈのごとく流出してエジェクタ１４の冷媒吸引口１４ｂへ向かう。
【００５８】
なお、矢印ｈに相当する出口部２５と冷媒吸引口１４ｂとの間に圧力センサ４１を設けることになるため、簡素な構成で第１、第２蒸発器１５、１８に配設することが容易にできる。
【００５９】
次に、２つの蒸発器１５、１８におけるチューブ２２、フィン２３、およびタンク部１５ｂ、１５ｃ、１８ｂ、１８ｃの具体的な一体化構造例について述べる。まず、フィン２３として、空気流れ前後の２つの熱交換コア部１５ａ、１８ａごとにそれぞれ別のフィンを設定してもよいが、空気流れ前後の２つの熱交換コア部１５ａ、１８ａの両方に共通の一体フィンを設定してもよい。
【００６０】
同様に、チューブ２２として、空気流れ前後の２つの熱交換コア部１５ａ、１８ａごとにそれぞれ別のチューブを設定してもよいが、空気流れ前後の２つの熱交換コア部１５ａ、１８ａの両方に共通の一体チューブを設定してもよい。
【００６１】
ただし、第１蒸発器１５側のチューブ２２と、第２蒸発器１８側のチューブ２２は完全に独立した冷媒通路を構成する必要があるので、一体チューブの場合は、一体チューブ内部に第１蒸発器１５側の冷媒通路と、第２蒸発器１８側の冷媒通路とを仕切壁により区分して独立に形成し、第１蒸発器１５側のチューブ内冷媒通路を第１蒸発器１５側のタンク部１５ｂ、１５ｃの内部空間に独立に接続し、第２蒸発器１８側のチューブ内冷媒通路を第２蒸発器１８側のタンク部１８ｂ、１８ｃの内部空間に独立に接続する必要がある。
【００６２】
また、タンク部１５ｂ、１５ｃ、１８ｂ、１８ｃについてもそれぞれ独立に形成してもよいが、２つの上側タンク部１５ｂ、１８ｂを一体構造で構成し、２つの下側タンク部１５ｃ、１８ｃを一体構造で構成してもよい。但し、この場合も、２つの上側タンク部１５ｂと１８ｂの互いの内部空間を互いに独立に形成し、２つの下側タンク部１５ｃ、１８ｃの互いの内部空間を互いに独立に形成する必要がある。
【００６３】
また、左右両側のサイドプレート１５ｄ、１５ｅ、１８ｄ、１８ｅについてもそれぞれ独立に形成してもよいが、２つの左側サイドプレート１５ｄ、１８ｄを１枚のプレートで一体に構成し、２つの右側サイドプレート１５ｅ、１８ｅを１枚のプレートで一体に構成してもよい。
【００６４】
上記のごとく、第１、第２蒸発器１５、１８におけるチューブ２２、フィン２３、タンク部１５ｂ、１５ｃ、１８ｂ、１８ｃおよびサイドプレート１５ｄ、１５ｅ、１８ｄ、１８ｅとして一体構造のものを用いれば、２つの蒸発器１５、１８を少ない部品点数にて簡潔に低コストにて製造できる。
【００６５】
なお、チューブ２２、フィン２３、タンク部１５ｂ、１５ｃ、１８ｂ、１８ｃおよびサイドプレート１５ｄ、１５ｅ、１８ｄ、１８ｅの具体的材質としては、熱伝導性やろう付け性に優れた金属であるアルミニウムが好適であり、このアルミニウム材にて各部品を成形することにより、第１、第２蒸発器１５、１８の全体構成を一体ろう付けにて組み付けることができる。
【００６６】
そして、本実施形態では、第１、第２蒸発器１５、１８の一体ろう付けによる組み付け後に、エジェクタ１４を第１、第２蒸発器１５、１８側に組み付けて、エジェクタ１４を第１、第２蒸発器１５、１８と一体化している。
【００６７】
エジェクタ１４は、図２に示すように、ノズル部１４ａ、混合部１４ｃおよびディフューザ部１４ｄが一直線上に並んだ細長の円柱形状になっている。そこで、本実施形態では、エジェクタ１４の長手方向を熱交換コア部１５ａ、１８ａの側面と平行にして、エジェクタ１４を熱交換コア部１５ａ、１８ａの側面に一体構造に組み付けるようにしている。
【００６８】
より具体的には、エジェクタ１４の長手方向を熱交換コア部左側のサイドプレート１５ｄ、１８ｄと平行に配置して、この左側のサイドプレート１５ｄ、１８ｄにエジェクタ１４を組み付けるようにしている。ここで、エジェクタ１４はサイドプレート１５ｄ、１８ｄに図示しない固定手段、例えば、ねじ止め、金属ばねクリップ、ろう付け等の手段を用いて固定される。
【００６９】
このようなエジェクタ組み付け構造によると、エジェクタ１４のディフューザ部１４ｄの出口部を下側タンク部１５ｃの入口部２４に、また、エジェクタ１４の冷媒吸引口１４ｂを上側タンク部１８ｂの出口部２８にそれぞれ近接配置できる。従って、エジェクタ１４と第１蒸発器１５との冷媒通路接続およびエジェクタ１４と第２蒸発器１８との冷媒通路接続をともに簡単に行うことができる。
【００７０】
しかも、細長の円柱形状からなるエジェクタ１４の長手方向を第１、第２蒸発器１５、１８の熱交換コア部側面部に沿って配置しているから、エジェクタ１４が第１、第２蒸発器１５、１８の外形状から大きく突き出すことがない。その結果、エジェクタ１４を含めた第１、第２蒸発器１５、１８全体の体格をコンパクトにまとめることができる。
【００７１】
次に、二つの蒸発器１５、１８内の冷媒の流れについて図３に基づいて説明する。第１蒸発器１５および第２蒸発器１８に流れる流れは、空気流れ方向（矢印Ａ）に対して横断するように交差する流れを形成している。この冷媒の流れを構成する冷媒通路は、第１蒸発器１５および第２蒸発器１８において複数本のチューブ２２が備えられており、複数本の冷媒通路３３、３４は積層して配置されている。
【００７２】
また、第１蒸発器１５および第２蒸発器１８の冷媒通路のうち、少なくとも一方の冷媒通路３３、３４は、その外部を流れる空気の流れ方向Ａに複数列を形成するように並んで配置されている。さらに、複数列を形成している冷媒通路３３、３４は冷媒が流れる向きが蒸発器１５、１８内で変わるように、折り返された形状で構成され、言い換えれば、Ｕ字状、またはＷ字状に構成されてもよい。
【００７３】
なお、ここでは、少なくとも一方の冷媒通路３３、３４は、その外部を流れる空気の流れ方向Ａに複数列を形成するように形成したが、これに限らず、複数列でなくても良い。また、冷媒の流れる向きを蒸発器１５、１８内で変わるように形成したが、これに限らず、折り返された形状でなくても良い。
ここで、図中に示す符号３７、３８はともに分配器であり、一方の分配器３７は、エジェクタ１４で昇圧された冷媒を分配させて入口部２４から第１蒸発器１５内に構成された冷媒通路３３内に流入するようにしている。他方の分配器３８は、絞り機構１７で減圧された冷媒を分配させて入口部２７から第２蒸発器１８内に構成された冷媒通路３４内に流入するようにしている。
【００７４】
また、符号３５、３６はともにタンクであって、一方のタンク３５は、第１蒸発器１５の出口部２５から流出する冷媒を集合させるタンクである。他方のタンク３６は、第１蒸発器１５の出口部２８から流出する冷媒を集合させるタンクである。
【００７５】
これにより、エジェクタ１４で昇圧された冷媒が分配器３７、入口部２４を介して第１蒸発器１５内の冷媒通路３３内に流入する。そして、冷媒通路３３内に流入した冷媒は、外部を流れる空気流れの方向Ａを横切るように進み、第１蒸発器１５の他端側で折り返すようにＵターンし、冷媒通路の入口部２４よりも空気流れ方向の上流側に配置されている冷媒通路の出口部２５に達し外部を流れる空気を冷却する。
【００７６】
このように、第１蒸発器１５をＵ字状に横断する冷媒の流れを形成する冷媒通路３３は、空気流れ方向Ａに沿うように並んだ往きと帰りの２本の通路を形成し、さらに、この通路は、全体として、空気流れ方向Ａと反対向きに移動する冷媒の流れを形成している。そして、冷媒通路の出口部２５から流出した冷媒はタンク３５を経由して圧縮機１１の吸入部から吸入される。
【００７７】
一方、冷媒分岐通路１６の分岐路Ｚ地点から絞り機構１７に流入し、流量が調整された冷媒は、分配器３８によって、第２蒸発器１８に複数個配管された冷媒配管内に分配され、冷媒通路の入口部２７から第２蒸発器１８内に構成された冷媒通路３４内に流入する。
【００７８】
この冷媒通路３４内に流入した冷媒は、外部を流れる空気流れの方向Ａを横切るように進み、第２蒸発器１８の他端側で折り返すようにＵターンし、冷媒通路の入口部２７よりも空気流れ方向Ａの下流側に配置されている冷媒通路の出口部２８に達し、外部を流れる空気を冷却する。
【００７９】
このように、第２蒸発器１８をＵ字状に横断する冷媒の流れを形成する冷媒通路３４は、空気流れ方向Ａに沿うように並んだ往きと帰りの２本の通路を形成し、さらに、この通路は、全体として、空気流れ方向Ａと同じ向きに移動する冷媒の流れを形成している。そして、この冷媒通路の出口部２８から流出した冷媒は、タンク３６を経由してエジェクタ１４の冷媒吸引口１４ｂから吸引される。
【００８０】
次に、以上の構成による蒸気圧縮式冷凍サイクル装置１０の作動を説明する。圧縮機１１を車両エンジンにより駆動すると、圧縮機１１で圧縮され吐出された高温高圧状態の冷媒は放熱器１３に流入する。放熱器１３では高温の冷媒が外気により冷却されて凝縮する。放熱器１３から流出した高圧液相冷媒は、分岐点Ｚにてエジェクタ１４に向かう冷媒流れと、冷媒分岐通路１６に向かう冷媒流れとに分流する。
【００８１】
エジェクタ１４に流入した冷媒流れはノズル部１４ａで減圧され膨張する。従って、ノズル部１４ａで冷媒の圧力エネルギーが速度エネルギーに変換され、このノズル部１４ａの噴出口から冷媒は高速度となって噴出する。この際の冷媒圧力低下により、冷媒吸引口１４ｂから冷媒分岐通路１６の第２蒸発器１８通過後の冷媒（気相冷媒）を吸引する。
【００８２】
ノズル部１４ａから噴出した冷媒と冷媒吸引口１４ｂに吸引された冷媒は、ノズル部１４ａ下流側の混合部１４ｃで混合してディフューザ部１４ｄに流入する。このディフューザ部１４ｄでは通路面積の拡大により、冷媒の速度（膨張）エネルギーが圧力エネルギーに変換されるため、冷媒の圧力が上昇する。
【００８３】
そして、エジェクタ１４のディフューザ部１４ｄから流出した冷媒は第１蒸発器１５に流入する。第１蒸発器１５では、図２に示す矢印ａ〜ｄの冷媒経路にて冷媒が流れる間に、低温の低圧冷媒が熱交換コア部１５ａにて矢印Ａ方向の送風空気から吸熱して蒸発する。この蒸発後の気相冷媒は、圧縮機１１に吸入され、再び圧縮される。
【００８４】
一方、冷媒分岐通路１６に流入した冷媒流れは絞り機構１７で減圧されて低圧冷媒となり、この低圧冷媒が第２蒸発器１８に流入する。第２蒸発器１８では、図２に示す矢印ｅ〜ｈの冷媒経路にて冷媒が流れる間に、矢印Ａ方向の送風空気から冷媒が吸熱して蒸発する。この蒸発後の気相冷媒は冷媒吸引口１４ｂからエジェクタ１４内に吸引される。
【００８５】
以上のように、本実施形態によると、エジェクタ１４のディフューザ部１４ｄの下流側冷媒を第１蒸発器１５に供給するととともに、冷媒分岐通路１６側の冷媒を絞り機構１７を通して第２蒸発器１８にも供給できるので、第１、第２蒸発器１５、１８で同時に冷却作用を発揮できる。そのため、第１、第２蒸発器１５、１８の両方で冷却された冷風を冷却対象空間２１に吹き出して、冷却対象空間２１を冷房（冷却）できる。
【００８６】
その際に、第１蒸発器１５の冷媒蒸発圧力はディフューザ部１４ｄで昇圧した後の圧力であり、一方、第２蒸発器１８の出口側はエジェクタ１４の冷媒吸引口１４ｂに接続されているから、ノズル部１４ａでの減圧直後の最も低い圧力を第２蒸発器１８に作用させることができる。
【００８７】
これにより、第１蒸発器１５の冷媒蒸発圧力（冷媒蒸発温度）よりも第２蒸発器１８の冷媒蒸発圧力（冷媒蒸発温度）を低くすることができる。そして、送風空気の流れ方向Ａに対して冷媒蒸発温度が高い第１蒸発器１５を上流側に配置し、冷媒蒸発温度が低い第２蒸発器１８を下流側に配置しているから、第１蒸発器１５における冷媒蒸発温度と送風空気との温度差および第２蒸発器１８における冷媒蒸発温度と送風空気との温度差を両方とも確保できる。
【００８８】
このため、第１、第２蒸発器１５、１８の冷却性能を両方とも有効に発揮できる。従って、共通の冷却対象空間２１に対する冷却性能を第１、第２蒸発器１５、１８の組み合わせにて効果的に向上できる。また、ディフューザ部１４ｄでの昇圧作用により圧縮機１１の吸入圧を上昇して、圧縮機１１の駆動動力を低減できる。
【００８９】
また、本実施形態の蒸気圧縮式冷凍サイクル装置１０では、エジェクタ１４の上流部の分岐点Ｚから分岐した冷媒分岐通路１６をエジェクタ１４の冷媒吸引口１４ｂに接続し、この冷媒分岐通路１６に絞り機構１７および第２蒸発器１８を設けているから、第２蒸発器１８には冷媒分岐通路１６を通して低圧の気液２相冷媒を独立して供給できる。このため、第１蒸発器１５の冷媒流れ下流側に特許文献１のような気液分離器を設定する必要がない。
【００９０】
なお、特許文献１のように気液分離器を設定し、冷媒としてＣＯ2冷媒のようにサイクル高圧圧力が臨界圧力を超える冷媒を用いる超臨界サイクルの場合には、高外気温時にサイクル運転を停止すると、高圧側のみならず、低圧側も超臨界状態となる。
【００９１】
この結果、サイクル運転の再起動時に気液分離器による冷媒の気液分離ができないので、気液分離器内の超臨界状態の高温冷媒がそのまま冷媒吸引側の第２蒸発器１８に流入して第２蒸発器１８の冷却性能が大幅に低下する。
【００９２】
これに対し、本実施形態によると、エジェクタ１４の上流部で高圧冷媒を分岐し、この分岐冷媒を絞り機構１７で減圧して低温冷媒を冷媒吸引側の第２蒸発器１８に流入できるので、サイクル運転の再起動時にも第２蒸発器１８の冷却性能を素早く発揮できる。
【００９３】
また、通常のフロン系の冷媒を用いる亜臨界サイクル（高圧圧力が臨界圧力を超えないサイクル）においても、サイクル熱負荷が小さい条件では、サイクルの高低圧差が小さくなって、エジェクタ１４の入力が小さくなる。
【００９４】
この場合に、特許文献１のサイクルでは、第２蒸発器１８を通過する冷媒流量がエジェクタ１４の冷媒吸引能力のみに依存するので、エジェクタ１４の入力低下→エジェクタ１４の冷媒吸引能力の低下→第２蒸発器１８の冷媒流量の減少が発生して、第２蒸発器１８の冷却性能を確保しにくい。
【００９５】
これに対し、本実施形態によると、エジェクタ１４の上流部で高圧冷媒を分岐し、この分岐冷媒を冷媒分岐通路１６を通して冷媒吸引口１４ｂに吸引させるから、冷媒分岐通路１６がエジェクタ１４に対して並列的な接続関係となる。
【００９６】
このため、冷媒分岐通路１６にエジェクタ１４の冷媒吸引能力だけでなく、圧縮機１１の冷媒吸入、吐出能力をも利用して冷媒を供給できる。これにより、エジェクタ１４の入力低下→エジェクタ１４の冷媒吸引能力の低下という現象が発生しても、第２蒸発器１８側の冷媒流量の減少度合いを特許文献１のサイクルよりも小さくできる。よって、低熱負荷条件でも、第２蒸発器１８の冷却性能を確保しやすい。
【００９７】
また、第２蒸発器１８側の冷媒流量をエジェクタ１４の機能に依存することなく、絞り機構１７にて独立に調整でき、第１蒸発器１５への冷媒流量は圧縮機１１の冷媒吐出能力の制御とエジェクタ１４の絞り特性とにより調整できる。このため、第１、第２蒸発器１５、１８への冷媒流量をそれぞれの熱負荷に対応して容易に調整できる。
【００９８】
以上のように、エジェクタ１４を用いて最も低い圧力を第２蒸発器１８に作用させることで、第２蒸発器１８側の冷媒蒸発圧力（冷媒蒸発温度）を低くすることができる。ただし、特に、低熱負荷条件のときには、第２蒸発器１８側でフロストが起こりやすくなる。そこで、本実施形態では、第２蒸発器１８と冷媒吸引口１４ｂとの間の冷媒出口圧力に基づいてフロスト制御を行うようにしているので、以下その作動を図４に基づいて説明する。
【００９９】
まず、図４に示すように、ステップ４１０にて、圧力センサ４１で検出された低圧圧力が第１所定値以下か否かを判定する。ここで、低圧圧力が第１所定値以下であればフロスト制御が開始される。ここで、低圧圧力が第１所定値以下になっていなければ待機状態を維持する。
【０１００】
そして、ステップ４２０にて、電磁クラッチ１２を停止する。これにより、圧縮機１１の駆動が停止するとともに、サイクル内の冷媒循環も停止することになることで低圧圧力のより低下を防止することができる。
【０１０１】
そして、ステップ４４０にて、低圧圧力が第２所定値以上か否かを判定する。なお、第２所定値は第１所定値よりも大である。ここで、低圧圧力が第２所定値以上であればステップ４４０に移行する。ここで、低圧圧力が第２所定値以上なければそのまま停止状態を維持する。
【０１０２】
そして、ステップ４４０にて、電磁クラッチ１２をＯＮさせて圧縮機１１を駆動させる。なお、第１所定値は、第２蒸発器１８の熱交換器コア部１８ａがフロストを起こすことのない低圧圧力に予め設定されている。
【０１０３】
このため、蒸気圧縮式冷凍サイクル装置１０においては、第２蒸発器１８と冷媒吸引口１４ｂとの間を流通する冷媒圧力が最も低くなるため、この低圧圧力に基づいてフロスト制御を行うことが最適な方法であるとともに正確に検出することができる。
【０１０４】
また、固定容量型圧縮機タイプの圧縮機１１においては、電磁クラッチ１２を制御させることで、圧縮機作動の稼働率を変化させて冷媒吐出能力を低下させることが可能である。
【０１０５】
（第２実施形態）
以上の第１実施形態では、冷凍サイクル内に固定容量型圧縮機タイプの圧縮機１１を用いて電磁クラッチ１２を制御させてフロスト制御を行うように構成したが、これに限らず、可変容量型圧縮機タイプの圧縮機１１では、吐出容量を変化させてフロスト制御を行うように構成しても良い。なお、このときには、圧縮機１１として電動圧縮機を使用すれば、電動モータの回転数調整により冷媒吐出能力を調整できる。
【０１０６】
具体的には、図５に示すフローチャートに基づいてフロスト制御を行っている。つまり、図５に示すように、ステップ４１０にて、低圧圧力が第１所定値以下であれば、フロスト制御が開始され、ステップ４２０ａにて、電動モータの回転数を低下させる制御を行う。これにより圧縮機１１の吐出容量が低下することになることで低圧圧力の低下を防止することができる。
【０１０７】
そして、ステップ４３０にて、低圧圧力が第２所定値以上であればステップ４４０に移行し、ここで、通常の回転数に上昇させる制御を行う。これにより、良好なフロスト制御を行うことができる。
【０１０８】
（第３実施形態）
以上の実施形態では、エジェクタ１４の上流部から分岐され、エジェクタ１４の冷媒吸引口１４ｂに接続される冷媒分岐通路１６を設け、この冷媒分岐通路１６に第２蒸発器１８を設けているが、本実施形態では、この冷媒分岐通路１６を設けない構成にしている。
【０１０９】
具体的には、図６に示すように、第１蒸発器１５の冷媒流れ下流側に冷媒の気液を分離する気液分離器３０を設け、この気液分離器３０の気相冷媒の出口部を圧縮機１１の吸入側に接続するとともに、この気液分離器３０の液相冷媒の出口部を冷媒分岐通路３１によりエジェクタ１４の冷媒吸引口１４ｂに接続する。そして、この冷媒分岐通路３１に絞り機構１７と第２蒸発器１８を設けている。
【０１１０】
そして、第１蒸発器１５と第２蒸発器１８の空気流れ方向Ａに対する配置は第１、第２実施形態と同じであり、冷媒蒸発温度が高い第１蒸発器１５を空気流れ方向Ａの上流側に配置し、冷媒蒸発温度が低い第２蒸発器１８を空気流れ方向Ａの下流側に配置している。そして、第２蒸発器１８と冷媒吸引口１４ｂとの間に圧力センサ４１を設けている。
【０１１１】
これによれば、以上の実施形態と同じように第２蒸発器１８と冷媒吸引口１４ｂとの間の冷媒圧力が最も低い圧力となることでこの低圧圧力に基づいてフロスト制御を行うことが最適な方法であるとともに正確に検出することができる。
【０１１２】
また、冷媒蒸発温度が異なる第１、第２蒸発器１５、１８の組み合わせにて冷却対象空間２１の冷却性能を効果的に向上できる。
【０１１３】
（第４実施形態）
以上の実施形態では、第２蒸発器１８と冷媒吸引口１４ｂとの間に圧力センサ４１を設けていたが、これに限らず、具体的には、図７に示すように、圧力センサ４１をエジェクタ１４の冷媒吸引口１４ｂに取り付けるように構成しても良い。これによれば、圧力センサ４１がエジェクタ１４に一体構成できることで製造コストの低減および搭載スペースの小型化が図れる。
【０１１４】
（第５実施形態）
以上の実施形態では、第１、第２蒸発器１５、１８の一体ろう付けによる組み付け後に、エジェクタ１４を第１、第２蒸発器１５、１８側に組み付けて、エジェクタ１４を第１、第２蒸発器１５、１８と一体化する構成としたが、これに限らず、図８に示すように、第１、第２蒸発器１５、１８が密着せず、所定の空隙を介して一体化される構造であっても良い。
【０１１５】
具体的には、第１、第２蒸発器１５、１８が冷媒配管１４０により分解不能な状態に一体結合されている。これにより、二つの蒸発器が一体に構成されている。
【０１１６】
（他の実施形態）
以上の第１、第２実施形態の蒸気圧縮式冷凍サイクル装置１０では、冷媒の気液を分離して余剰冷媒を液として蓄える気液分離器３０を設けていないが、例えば、放熱器１３の出口側に高圧冷媒の気液を分離して液冷媒を蓄える気液分離器（レシーバ）を設け、この気液分離器から液冷媒をエジェクタ１４側へ導出するようにしても良い。
【０１１７】
また、冷媒の気液を分離して余剰冷媒を液として蓄える気液分離器（アキュムレータ）３０を圧縮機１１の吸入側に設け、この気液分離器３０から気相冷媒を圧縮機１１の吸入側へ導出するようにしても良い。また、エジェクタ１４の上流側に第１蒸発器１５の冷媒出口側における冷媒過熱度に基づいて、開度を変化させる制御弁を配設しても良い。
【０１１８】
また、以上の実施形態では、車両用の冷凍サイクルについて説明したが、車両用に限らず、定置用等の冷凍サイクルに対しても本発明を同様に適用できることは勿論である。また、以上の実施形態では、冷媒の種類を特定しなかったが、冷媒はフロン系、ＨＣ系の代替フロン、二酸化炭素（ＣＯ2）など蒸気圧縮式の超臨界サイクルおよび亜臨界サイクルのいずれに適用できるものであってもよい。
【０１１９】
なお、ここでフロンとは炭素、フッ素、塩素、水素からなる有機化合物の総称であり、冷媒として広く使用されているものである。フロン系冷媒には、ＨＣＦＣ（ハイドロ・クロロ・フルオロ・カーボン）系冷媒、ＨＦＣ（ハイドロ・フルオロ・カーボン）系冷媒等が含まれており、これらはオゾン層を破壊しないため代替フロンと呼ばれる冷媒である。
【０１２０】
また、ＨＣ（炭化水素）系冷媒とは、水素、炭素を含み、自然界に存在する冷媒物質のことである。このＨＣ系冷媒には、Ｒ６００ａ（イソブタン）、Ｒ２９０（プロパン）などがある。
【０１２１】
また、以上の実施形態において、エジェクタ１４としてノズル１４ａの冷媒流路面積、つまり流量を調節する可変流量型のエジェクタを使用してもよい。
【図面の簡単な説明】
【０１２２】
【図１】本発明の第１実施形態における車両用の蒸気圧縮式冷凍サイクル装置１０を示すサイクル構成図である。
【図２】本発明の第１実施形態における第１、第２蒸発器１５、１８の一体化構成を示す概略斜視図である。
【図３】本発明の第１実施形態における第１、第２蒸発器１５、１８と、これらの冷媒通路および冷媒の流れを示す概略図である。
【図４】本発明の第１実施形態における制御装置４０のフロスト制御手段の制御処理を示すフローチャートである。
【図５】本発明の第２実施形態における制御装置４０のフロスト制御手段の制御処理を示すフローチャートである。
【図６】本発明の第３実施形態における車両用の蒸気圧縮式冷凍サイクル装置１０を示すサイクル構成図である。
【図７】本発明の第４実施形態における車両用の蒸気圧縮式冷凍サイクル装置１０の一部を示すサイクル構成図である。
【図８】本発明の第５実施形態における第１、第２蒸発器１５、１８の一体化構成を示す概略斜視図である。
【図９】従来技術（特許文献１）における蒸気圧縮式冷凍サイクル装置を示すサイクル構成図である。
【符号の説明】
【０１２３】
１１…圧縮機
１２…電磁クラッチ
１３…放熱器
１４…エジェクタ
１４ａ…ノズル部
１４ｂ…冷媒吸引口
１４ｃ…混合部
１４ｄ…昇圧部
１５…第１蒸発器
１６…冷媒分岐通路
１７…絞り機構
１８…第２蒸発器
２１…冷却対象空間
３０…気液分離器
３１…冷媒分岐通路
４０…制御装置（制御手段）
４１…圧力センサ（圧力検出手段）
【図１】
2007057177.tif 000003
【図２】
2007057177.tif 000004
【図３】
2007057177.tif 000005
【図４】
2007057177.tif 000006
【図５】
2007057177.tif 000007
【図６】
2007057177.tif 000008
【図７】
2007057177.tif 000009
【図８】
2007057177.tif 000010
【図９】
2007057177.tif 000011